(57)【要約】【課題】本発明は、ネットワークカメラ側から撮影を制限でき、安心して設置が可能なネットワークカメラを提供することを目的とする。【解決手段】本発明は、ネットワーク１を介してカメラ部の撮像方向を制御するとともに該カメラ部によって撮像した画像をコンピュータ装置３に送信するネットワークカメラ２であって、カメラ筐体には、撮像を制限する入力を行うことができるボタン４３と、カメラを第１のポジションに位置させたときレンズ３３への入射光を遮るカバー３５とが設けられ、入力が行なわれたときには、制御部がカメラを第１のポジションまで位置変更させることを主要な特徴とする。【選択図】図３
2005175758.tif 000002
【特許請求の範囲】
【請求項１】
ネットワークを介してカメラの撮像方向を制御するとともに該カメラによって撮像した画像を受像端末に送信するネットワークカメラであって、
カメラ筐体には、撮像を制限する入力を行うことができる入力部と、前記カメラを第１のポジションに位置させたときレンズへの入射光を遮るカバーとが設けられ、前記入力が行なわれたときには、制御部が前記カメラを第１のポジションまで位置変更させることを特徴とするネットワークカメラ。
【請求項２】
前記第１のポジションが、前記カメラに所定量以上のチルト動作をさせたとき前記カバーで前記レンズが隠れる位置であることを特徴とする請求項１記載のネットワークカメラ。
【請求項３】
前記制御部は、ネットワークを介して前記カメラで撮像した画像データを端末装置へ送信中、又は／及び、ネットワークを介して端末装置から画像送信要求があったときに、前記入力部への入力が行われたと判断すると、前記端末装置に対し画像送信を停止する旨の表示データを送信することを特徴とする請求項１または２記載のネットワークカメラ。
【請求項４】
前記制御部は、前記カメラを第１のポジションまで動作させたとき、前記カメラを低消費電圧モードに移行させることを特徴とする請求項１〜３のいずれかに記載のネットワークカメラ。
【請求項５】
前記制御部は、前記カメラ部が第１のポジションに位置しているときに、可動体検知センサによって可動体の検知が行なわれた場合、検知された方向に前記カメラを向けて撮像し、画像送信せずに画像データを画像記憶部に記憶することを特徴とする請求項１〜４のいずれかに記載のネットワークカメラ。
【請求項６】
撮像を制限中にタイマー設定時間が到来したとき、前記カメラを設定された方向に向けて撮像し、画像送信せずに画像データを画像記憶部に記憶することを特徴とする請求項１〜４のいずれかに記載のネットワークカメラ。
【請求項７】
前記制御部は、前記カメラ部が第１のポジションに位置しているときに、前記入力部からの入力が行われた場合若しくは／及びネットワークを介して解除要求を受信した場合、前記カメラを動作モードに戻すことを特徴とする請求項１〜６のいずれかに記載のネットワークカメラ。
【発明の詳細な説明】
【技術分野】
【０００１】
本発明は、撮影される側で押下することにより撮像を制限できるボタンを備えたネットワークカメラに関するものである。
【背景技術】
【０００２】
最近、監視や観察を行うためネットワークカメラで画像を撮像し、インターネット等のネットワークを介してコンピュータ装置に送信するネットワークシステムが普及している。このネットワークカメラはカメラを水平方向に旋回させるパン動作及びカメラを垂直方向に旋回させるチルト動作を行う機構を備え、設置された位置から任意の方向へカメラを向けることが可能であり、設置された位置から広範囲を撮影することが可能である。
【０００３】
本出願人は、従来、カメラの動きを視覚的に捉えることを可能にし、内部機構を見えなくするために、外側映像入射部を有したパン部とこれを回動させるパンモータを設けるとともに、内側映像入射部を有したチルト面を備えたチルト部とこれを回動させるチルトモータを設け、チルト部の内部にはカメラ部が設けられたネットワークカメラを提案した（特許文献１参照）。
【０００４】
このネットワークカメラは、受像端末からのアクセスがない場合、自動的に待機位置になるようにチルトモータを駆動させてチルト面を上方向へ回動させる。このとき内側映像入射部がパン部のケーシング部の内側になり、内側映像入射部が外側映像入射部から見て完全に隠れる。待機位置で受像端末からネットワークカメラにアクセスがあった場合には、ネットワークカメラは、チルトモータを駆動させてチルト面を下方向へ回動させるものである。そして一旦アクセスがあった場合には、受像端末からのアクセス状態が開放された場合でも、所定時間は待機位置へ戻らないようにすることで、頻繁に待機位置と動作位置のチルト動作を繰り返さないようにする。受像端末から待機位置に戻るように、例えばネットワークカメラからＨＴＭＬデータを送って受像端末のモニタ上に待機状態ボタンなどを表示させ、受像端末からそのボタンをクリックすることで、待機位置への回動が可能になる。ネットワークカメラの電源ＯＦＦするときに待機位置になるようにし、電源ＯＮで撮像できるような所定位置になるようにしてもよい。
【０００５】
このような構成とすることで、ネットワークカメラの内側映像入射部がパン部のケーシング部内側に隠れているときには撮像状態にないことが分かり、撮像されていないのに撮影されているのかもしれないという不安感を抱かせるようなことを回避できる。また、使用していないときには、ネットワークカメラの内側映像入射部がパン部のケーシング部内側に隠れることでパン部のケーシング部がカメラケースの役割を果たし、カメラケースが不要となる。
【特許文献１】特開２００２−２３２７６７号公報
【発明の開示】
【発明が解決しようとする課題】
【０００６】
以上説明した従来のネットワークカメラは、受像端末からのアクセス状態やネットワークカメラの電源ＯＦＦに起因して、自動的に、または受像端末での操作によって待機位置になるようにチルトモータを駆動させてチルト面を上方向へ回動させ、内側映像入射部を外側映像入射部から見て完全に隠れるように回動させることができる。
【０００７】
しかし、このネットワークカメラは、受像端末からネットワークカメラにアクセスした場合、チルト面を下方向へ回動させ、この状態で撮像し、その後アクセス状態が開放され
ても所定時間は待機位置へ戻らない。このため、撮像されていないのにもかかわらず、ネットワークカメラの周辺の人間は撮影されているのかもしれないという不安感を抱いてしまう。
【０００８】
そこで本発明は、ネットワークカメラ側から撮影を制限でき、安心して設置が可能なネットワークカメラを提供することを目的とする。
【課題を解決するための手段】
【０００９】
本発明は、ネットワークを介してカメラの撮像方向を制御するとともに該カメラによって撮像した画像を受像端末に送信するネットワークカメラであって、カメラ筐体には、撮像を制限する入力を行うことができる入力部と、カメラを第１のポジションに位置させたときレンズへの入射光を遮るカバー部とが設けられ、入力が行なわれたときには、制御部がカメラを第１のポジションまで位置変更させることを主要な特徴とする。
【発明の効果】
【００１０】
本発明のネットワークカメラは、ネットワークカメラ側から撮影を制限でき、安心して設置できる。
【発明を実施するための最良の形態】
【００１１】
上記課題を解決するためになされた本発明の実施のための第１の形態は、ネットワークを介してカメラの撮像方向を制御するとともに該カメラによって撮像した画像を受像端末に送信するネットワークカメラであって、カメラ筐体には、撮像を制限する入力を行うことができる入力部と、カメラを第１のポジションに位置させたときレンズへの入射光を遮るカバーとが設けられ、入力が行なわれたときには、制御部がカメラを第１のポジションまで位置変更させるネットワークカメラであり、撮像を制限する入力部からの入力でカメラを第１のポジションの位置まで動作させ、カバーでネットワークカメラ外部の撮像を制限するので、カメラに備わっている撮像方向の制御構成を利用し、入力部を設けるだけで撮像を制限することができ、さらに、ネットワークカメラ外部から一見しただけでカメラの撮像が行われていないことが分かるため、ネットワークカメラを安心して設置でき、カメラの位置の自由度が増す。
【００１２】
本発明の実施のための第２の形態は、第１の形態において、第１のポジションが、カメラに所定量以上のチルト動作をさせたときカバーでレンズが隠れる位置であるネットワークカメラであり、カメラをチルトするため、撮影されているのかもしれないという不安感を払拭できる。
【００１３】
本発明の実施のための第３の形態は、第１または２の形態において、制御部は、ネットワークを介して前記カメラで撮像した画像データを端末装置へ送信中、又は／及び、ネットワークを介して端末装置から画像送信要求があったときに、前記入力部への入力が行われたと判断すると、前記端末装置に対しが画像送信を停止する旨の表示を行う表示データを送信するネットワークカメラであり、受像端末側ではネットワークカメラから送信される表示データを見て直ちに撮像停止があったためということが分かり、使い勝手に優れたネットワークシステムにすることができる。
【００１４】
本発明の実施のための第４の形態は、第１〜３のいずれかの形態において、カメラを第１のポジションまで動作させたとき、制御部がカメラを低消費電圧モードに移行させるネットワークカメラであり、第１のポジションに移動させたときは低消費電圧モードに移行でき、不要なコストを削減できる。
【００１５】
本発明の実施のための第５の形態は、第１〜４のいずれかの形態において、制御部は、
カメラ部が第１のポジションに位置しているときに可動体検知センサによって可動体の検知が行なわれた場合、検知された方向にカメラを向けて撮像し、画像送信せずに画像データを画像記憶部に記憶するネットワークカメラであり、撮像の制限中に可動体検知センサが可動体を検知したとき、カメラでその方向を撮像し、画像データは記憶しておくので必要に応じて画像をみることができる。
【００１６】
本発明の実施のための第６の形態は、第１〜４のいずれかの形態において、撮像を制限中にタイマー設定時間が到来したとき、カメラを設定された方向に向けて撮像し、画像送信せずに画像データを画像記憶部に記憶するネットワークカメラであり、撮像の制限中にタイマー設定時間が到来したとき、カメラを設定された方向に向けて撮像し、画像データを記憶しておくので必要に応じて画像をみることができる。
【００１７】
本発明の実施のための第７の形態は、第１〜６のいずれかの形態において、制御部は、カメラ部が第１のポジションに位置しているときに、記入力部からの入力が行われた場合若しくは／及びネットワークを介して解除要求を受信した場合、カメラを動作モードに戻すネットワークカメラであり、入力部または撮像端末からの入力だけで容易にカメラ動作モードに戻すことができる。
【実施例１】
【００１８】
本発明の実施例１のネットワークカメラについて図面に基づいて説明する。図１は本発明の実施例１におけるネットワークカメラと受信端末が構成するネットワークシステム構成図、図２は本発明の実施例１におけるネットワークカメラの構成図である。
【００１９】
図１において、１はイントラネットやインターネット等のＴＣＰ／ＩＰ等のプロトコルで通信することができるネットワーク、２はネットワーク１を介してカメラによって撮影した画像データやウェブページを送信可能し音声も送受信可能なネットワークカメラ、３はネットワーク１に接続されネットワークカメラ２から送信される画像データやウェブページを閲覧できるコンピュータ装置（本発明の受像端末）、４はルータである。ネットワークカメラ２は静止画、動画のいずれを送信するものであってよい。
【００２０】
このようなネットワークカメラ２の内部構成について説明する。図２において、１１は被写体像を光電変換するＣＣＤあるいはＣＭＯＳ撮像素子等で構成されているカメラ部、１２はカメラ部１１で光電変換されたアナログ画像信号をＲＧＢ信号、さらにＹＣｂＣｒ信号に変換し、ＪＰＥＧ，モーションＪＰＥＧ，ＭＰＥＧ４等の形式に圧縮する画像データ生成部である。
【００２１】
１３はプロトコルＨＴＴＰで通信を行うためのウェブサーバ部、１４はカメラ部１１のパンチルトや露光等を制御するための駆動部、１５は駆動部１４を動作させるためのカメラ制御部である。
【００２２】
１６は制御プログラムを読み込んでネットワークカメラ２の制御を行う中央処理装置（ＣＰＵ）から構成される制御部、１７は制御部１６の制御プログラムや、カメラ部１１のパンチルト等のデータが格納されている記憶部である。記憶部１７にはＲＯＭ，ＲＡＭのほかに不揮発メモリ、さらにメモリカード等がインタフェースとともに設けられる。１７ａはこの記憶部１７を構成する不揮発メモリに設けられたＨＴＭＬ記憶部、１７ｂは画像データを記憶するための画像記憶部、１７ｃはユーザのＩＤやパスワードをユーザ名等とともに登録したユーザ登録情報記憶部、１８は物理層等の入出力制御を行うネットワークインタフェースである。ＨＴＭＬ記憶部１７ａには、カメラ画像閲覧用のＨＴＭＬ情報、ＩＤとパスワードを認証するためのユーザ登録確認用のＨＴＭＬ情報、管理者ページ用のＨＴＭＬ情報、が格納されている。なお、ＨＴＭＬ記憶部１７ａは、ＨＴＭＬが代表的な
マークアップ言語ゆえの呼称であり、コンパクトＨＴＭＬ，ＸＴＭＬ，ＸＭＬ等他のマークアップ言語で記載されたウェブページも格納する。
【００２３】
また、１９はネットワーク１を介して受信された音声受信データを複号化してＤＡ変換し、後述のマイク２１から入力された音声信号はＡＤ変換して音声発信データとして符号化する音声処理部、２０は音声処理部１９からのアナログ信号を音声として出力するスピーカ、２１は音声を入力して音声処理部１９に入力するマイクである。２２はネットワークカメラ２側で撮像を停止するボタンが押下されたときこれを検知するボタン入力検出部、２３はネットワークカメラ２周辺で人等の可動体を検出する可動体検知センサ、２４はネットワークカメラ２の状態に応じた状態を表示する３色ＬＥＤである。
【００２４】
このようなネットワークカメラ２に対してコンピュータ装置３からアクセスすると、ネットワーク１、ルータ４を介してネットワークカメラ２に着信する。ネットワークカメラ２は、コンピュータ装置３からのアクセスを受けると、カメラ画像を閲覧可能なウェブページをコンピュータ装置３で表示できるように、カメラ画像閲覧用のＨＴＭＬ情報を送信する。なお、このカメラ画像閲覧用のＨＴＭＬ情報は、ネットワークカメラ２から画像データを呼び出して表示する命令やカメラ制御ボタンの情報を含んでいる。
【００２５】
コンピュータ装置３は、ネットワークカメラ２から送信されるこのカメラ画像閲覧用のＨＴＭＬ情報の記述に従って、ネットワークカメラ２からカメラで撮像した画像データを送信する要求を行う。コンピュータ装置３は、この要求に応じてネットワークカメラ２から送られてくる画像データを受信し、カメラ画像閲覧用のＨＴＭＬ情報の記述に従って、受信した画像データを表示部（図示せず）に表示する（例えば、図７（ａ）−５０参照）。この動作により、コンピュータ装置３の利用者は、ネットワークカメラ２のカメラで撮像した画像をリアルタイムで閲覧することができるようになる。
【００２６】
また、コンピュータ装置３に表示されたカメラ画像を含むウェブページには、音声を送受信するためのボタンが表示されている（例えば、図７（ａ）−５１参照）。コンピュータ装置３の入力部（図示せず）から、このボタンの指定が行われると、カメラ画像閲覧用のＨＴＭＬ情報の記述（若しくは、（Ｊａｖａ（登録商標）等のプログラムの動作）に従って、ネットワークカメラ２に音声通信の要求が行われ、マイク２１から集音して音声処理部１９で符号化し、この音声データをコンピュータ装置３に送信する。コンピュータ装置３ではこの音声データを復号化してスピーカから出力する。逆に、コンピュータ装置３のマイクから入力された音声は、符号化され、ネットワークカメラ２の音声処理部１９で復号化され、スピーカ２０から出力される。
【００２７】
ここで、コンピュータ装置３に表示されたカメラ画像を含むウェブページには、管理者用ページにジャンプするためのボタン（例えば、図７（ａ）−５２参照）が表示されている。コンピュータ装置３の入力部（図示せず）から、このボタンの指定が行われると、カメラ画像閲覧用のＨＴＭＬ情報の記述に従って、ネットワークカメラ２へ管理者ページ用のＨＴＭＬ情報の送信要求がされ。ネットワークカメラ２は、この管理者ページ用のＨＴＭＬ情報を受信すると、正規のアクセスか否かを判断するためにユーザ登録確認用のＨＴＭＬ情報をコンピュータ装置３に送信し、ＩＤとパスワードの入力を要求する。コンピュータ装置３の入力部により入力されたＩＤとパスワードが登録されたＩＤとパスワードと一致したときに、管理者ページ表示のためのＨＴＭＬ情報を送信する。なお、この管理者ページでは、ネットワークカメラ２の設定内容等に関する各種パラメータを設定することができるように構成されている。
【００２８】
また本発明においては、撮像を制限するためにカメラ筐体の後述するボタン４３を押下すると、ボタン入力検出部２２がこれを検出し、制御部１６がカメラ制御部１５に対して
、カメラ部１１のレンズへの入射光が遮断される位置（本発明の第１のポジション）までレンズの入射光軸の位置を変更するように要求する。この要求を受けたカメラ制御部１５は、駆動部１４を動作させ、第１のポジション位置になるようにレンズの入射光軸の位置を移動させる。しかし、可動体検知センサ２３が人や動物等を検出した場合や、タイマーで撮像時間が設定されている場合には、この状態からでも制御部１６がカメラ制御部１５にカメラ部１１の撮像位置までのチルト角、さらにはパン角を変更するように指示し、駆動部１４を動作させ、撮影した画像データを画像記憶部１７ｂに記憶するものである。
【００２９】
続いて、ネットワークカメラ２の具体的構造について図３（ａ）（ｂ），図４（ａ）（ｂ），図５（ａ）（ｂ）に基づいて説明する。図３（ａ）は本発明の実施例１のネットワークカメラで撮像時の状態の側方断面図、図３（ｂ）は（ａ）のネットワークカメラの正面図、図４（ａ）は本発明の実施例１のネットワークカメラで待機状態の側方断面図、図４（ｂ）は（ａ）のネットワークカメラの正面図、図５（ａ）は本発明の実施例１のネットワークカメラの撮像時のレンズの状態説明図、図５（ｂ）は本発明の実施例１のネットワークカメラの待機状態のレンズの状態説明図である。
【００３０】
図３（ａ）（ｂ），図４（ａ）（ｂ），図５（ａ）（ｂ）において、３１はネットワークカメラ２本体の前面側ケーシングとなるフロントキャビネット、３２はフロントキャビネット３１と嵌合されるバックキャビネットである。このフロントキャビネット３１とバックキャビネット３２から構成されるネットワークカメラ２の本体が実施例１のカメラ筐体である。３３はカメラ部１１のレンズ、３４はレンズ３３を保持するレンズホルダ、３５は後述のアイキャビネット３６と一体的に構成され、ネットワークカメラ２外部から入射する入射光をレンズ３３へ通過させる開口部３５ａを有するカバーである。ネットワークカメラは、通常のモードにおいて、レンズ３３は、カバー３５の開口部３５ａを介して、ネットワークカメラ２外部から入射する入射光を直接受けることができる範囲内で、チルト方向に移動することが可能である。一方、入力部に入力があった場合には、通常モードのレンズ３３位置の範囲外である第１のポジションに移動する。この第１の位置は、カバー３５の開口部３５ａを介して、ネットワークカメラ２外部から入射する入射光を直接受けることがでない位置、すなわち、レンズ３３がカバー３４の開口部３５ａ以外の部分で覆われる位置である。
【００３１】
図３（ｂ），図４（ｂ）に示した３６は、カバー３５と一体的に構成されるアイキャビネットで、パン方向への回動が可能なように球面となっている。図３（ａ）（ｂ），図４（ａ）（ｂ），図５（ａ）（ｂ）において、３７はレンズ３３をチルト動作させるためのチルトモータ、３８はチルトモータ３７が駆動されることにより回転するチルトウォームギア、３９はチルト回転軸、４０はチルトウォームギア３８からの回転をチルト回転軸３９に伝達するチルトギアである。このチルトモータ３７とパンモータ（図示しない）が、上述したネットワークカメラ２の駆動部１４を構成する。４１はパンモータからの回転が入力されるパンウォームギア、４２はパンウォームギア４１の回動をパン回転軸（図示しない）に伝えるパンギアである。４３はネットワークカメラ２側で撮像を制限したいとき押下するボタン、４４は動く物体を画像処理で検出する検知手段あるいは焦電センサ等の人や動物を検知するための可動体検知センサである。ボタン４３若しくはボタン入力検出部２２を含めて本発明の入力部である。
【００３２】
撮像を制限するためにボタン４３を押下すると、ボタン入力検出部２２がこれを検出し、制御部１６がカメラ制御部１５にカメラ部１１の第１のポジション、この場合待機位置までのチルト角の変更を指示し、チルトモータ３７を駆動する。このチルトモータ３７の回転がチルトウォームギア３８、チルトギア４０を経てチルト回転軸３９に伝達され、カメラ部１１の撮像方向は図５（ａ）の位置から図５（ｂ）に示す位置へ変更され、レンズ３３はネットワークカメラ２外部の様子を撮像することができなくなる。可動体検知セン
サ２３が人や動物等を検出した場合には、制御部１６がカメラ制御部１５に撮像位置までのチルト角、さらにはパン角を変更するように指示し、チルトモータ３７とパンモータを動作させ、カメラ部１１で撮影した画像データを画像記憶部１７ｂに記憶する。
【００３３】
ところで、ネットワークカメラ２は常時接続されているのが基本である。そこで、カメラ動作モード中のネットワークカメラ２のボタン４３を押して、撮像を制限するときの一連の動作について図６に基づいて説明する。図６は本発明の実施例１のネットワークカメラで撮像を制限するときのフローチャート、図７は本発明の実施例１のネットワークカメラにおける表示画面説明図である。
【００３４】
図６に示すようにカメラ動作モードにおいて、撮像される側が撮像されたくないと考えてボタン４３を押下すると、ネットワークカメラ２のボタン入力検出部２２がこれを検出する（ｓｔｅｐ１）。ボタンが押されたとき、制御部１６は、コンピュータ装置３にカメラ部１１で撮像した画像データを送信している状態か否かを判断し（ｓｔｅｐ２）、画像データを送信している状態の場合、制御部１６は、カメラ部１１で撮像した画像データに代えて、記憶部１７に記憶している画像送信を停止する旨を表示する画像データを、そのコンピュータ装置３に送信する（ｓｔｅｐ３）。コンピュータ装置３は、カメラ部１１で撮像した画像データに代えて、この画像送信を停止する旨を表示する画像データを表示部へ表示する（例えば、図７（ｂ）−５０参照）。制御部１６は、この画像送信を停止する旨を表示する画像を送信した後に、また、ｓｔｅｐ２において画像データを送信していない場合に、カメラ制御部１５によりカメラ部１１のレンズをカバー３５内に隠すように回動させ、カメラ部１１のレンズ３３が外部を撮像できない第１のポジションへ移動させる（ｓｔｅｐ４）。さらに、制御部１６は、カメラ部１１や画像データ生成部１２を停止し、低消費電力モードへ移行し、３色ＬＥＤ２４を電源ＯＮの状態を表す青色から橙色へ変更する（ｓｔｅｐ５）。
【００３５】
その後、制御部１６は、低消費電力モードの状態でコンピュータ装置３から画像配信要求があったか否かを確認し（ｓｔｅｐ６）、画像配信要求があった場合には、ネットワークカメラ２の画像を送信せずにｓｔｅｐ３と同様の画像（画像送信を停止する旨を表示する画像データ）を送信する（ｓｔｅｐ７）。
【００３６】
さらに、制御部１６は、この低消費電力モードの状態で、可動体検知センサ２３が反応の有無をチェックし（ｓｔｅｐ８）、センサ検出が認められた場合、その可動体検知センサ２３に対応するカメラ撮像位置へカメラ部１１を移動し、可動体検知センサ２３からの検出が続いていることを限度に、画像データを記憶部に記憶する（ｓｔｅｐ９）。制御部１６は、可動体検知センサ２３からの検出が所定時間行なわれなかった場合には、レンズ３３が再度第１のポジションなるようにするに回動させ、この処理を終了する。なお、カメラ部１１により撮像された画像データは、記憶部に記憶するだけで、制御部１６は、コンピュータ装置３への画像データの送信は行わない。なお、記憶した画像データは、制御部１６により、メール処理部（図示しない）で管理者の管理する所定のアドレスへ添付画像として送信され、必要があったときだけ権限者により利用される。
【００３７】
同様に、タイマー動作（登録したタイマー時間、例えばＡＭ１０：００〜１１：００に撮像するという動作）の設定がされている場合には、制御部１６によりタイマーの設定時間が到来したか否かがチェックされ（ｓｔｅｐ１０）、設定時間が到来している場合には、制御部１６は、タイマーで設定したカメラ撮像位置へ動作し、撮像して画像データを記憶する（ｓｔｅｐ１１）。タイマー動作が終了すると、制御部１６は、レンズ３３が再度第１のポジションなるようにするに回動させ、この処理を終了する。なお、カメラ部１１により撮像された画像データは、記憶部１７に記憶するだけで、制御部１６は、コンピュータ装置３への画像データの送信は行わない。また、上述の可動体検知センサ２３の場合
と同様に、記憶した画像データは、メール処理部（図示しない）で管理者の管理する所定のアドレスへメールで送ることもでき、同様に利用される。
【００３８】
ｓｔｅｐ１０でタイマー動作時間が到来していない場合、及びｓｔｅｐ１１で画像データを記憶した後に、再度ボタン４３が押下されるか、またはネットワーク１から解除要求が送信されたか否かが判断され（ｓｔｅｐ１２）、ボタン４３の押下または解除要求がなければｓｔｅｐ４に戻って、ｓｔｅｐ４からｓｔｅｐ１２を繰り返す。ｓｔｅｐ１２において、ボタン４３の押下または解除要求があった場合、制御部１６は、カメラ制御部１５によりレンズ３３がパン方向及びチルト方向の中心位置（第２のポジション）になるようにするに回動させ、カメラ部１１や画像データ生成部１２を動作させてカメラ動作モードに戻る。このときクライアントが接続されている状態であれば、カメラ部１１で撮像した画像データの送信を再開する。
【００３９】
なお、カメラ制御用のボタン４３の押下または解除要求があった場合に、第２の位置に回動させるのではなく、ボタン４３が押下されたときのレンズ３３位置に回動させるようにしてもよい。この場合、制御手段は、ボタン４３が押下されたときに、レンズ３３位置（第３のポジション）を記憶部１７に記憶し、再度ボタン４３が押下されたときに、記憶部１７から第３のポジション情報を取出して、その第３のポジション情報に基いてレンズ３３を回動する。
【００４０】
以上説明したように本発明の実施例１のネットワークカメラは、撮像を制限する入力部からの入力でカメラを第１のポジションの位置までチルト動作させ、カバーで撮像を制限するので、カメラに備わっている撮像方向の制御構成を利用し、入力部を設けるだけで撮像を停止することができる。さらに、ネットワークカメラ外部から一見しただけでカメラの撮像が行われていないことがわかるため、撮影されているのかもしれないという不安感を払拭できる。受像端末装置側では表示を見て直ちに撮像停止があったためということが分かり、使い勝手に優れたネットワークシステムにすることができる。従って、安心してネットワークカメラを設置することができる。
【００４１】
撮像の制限中に可動体検知センサが可動体を検知したとき、カメラでその方向を撮像し、画像データは記憶しておくので必要に応じて画像をみることができる。同様に、タイマー設定時間が到来したとき、カメラを設定された方向に向けて撮像し、画像データを記憶しておくので必要に応じて画像をみることができる。
【００４２】
なお、本発明の実施例１では、制御部は、この低消費電力モードの状態で、可動体検知センサの反応が認められた場合やタイマーの設定時間が到来している場合に、所定のカメラ撮像位置へ動作し、撮像して画像データを記憶部に記憶したりするようにしているが、この低消費電力モードの状態では、このようなセンサ動作やタイマー動作をしないようにしてもよい。すなわち、制御部は、可動体検知センサの反応が認められた場合やタイマーの設定時間が到来している場合であっても、この低消費電力モードの状態と判断すると、センサ動作やタイマー動作を行わないようにでき、このようにすれば、センサ検出時でもタイマー設定時間が到来した場合であっても、ネットワークカメラを一見しただけで常にカメラの撮像が行われていないことがわかるため、不安感を与えることがない。
【００４３】
また、カメラを動作させる時間（動作開始時間と動作終了時間）を記憶部１７に設定しておき、その動作時間以外は、第１のポジションに位置させるように制御することも可能である。
【産業上の利用可能性】
【００４４】
本発明は、撮影される側で押下することにより撮像を制限できるボタンを備えたネット
ワークカメラに適用できる。
【図面の簡単な説明】
【００４５】
【図１】本発明の実施例１におけるネットワークカメラと受信端末が構成するネットワークシステム構成図
【図２】本発明の実施例１におけるネットワークカメラの構成図
【図３】（ａ）本発明の実施例１のネットワークカメラで撮像時の状態の側方断面図、（ｂ）（ａ）のネットワークカメラの正面図
【図４】（ａ）本発明の実施例１のネットワークカメラで待機状態の側方断面図、（ｂ）（ａ）のネットワークカメラの正面図
【図５】（ａ）本発明の実施例１のネットワークカメラの撮像時のレンズの状態説明図、（ｂ）本発明の実施例１のネットワークカメラの待機状態のレンズの状態説明図
【図６】本発明の実施例１のネットワークカメラで撮像を制限するときのフローチャート
【図７】本発明の実施例１のネットワークカメラにおける表示画面説明図
【符号の説明】
【００４６】
１    ネットワーク
２    ネットワークカメラ
３    コンピュータ装置
４    ルータ
１１    カメラ部
１２    画像データ生成部
１３    ウェブサーバ部
１４    駆動部
１５    カメラ制御部
１６    制御部
１７    記憶部
１７ａ    ＨＴＭＬ記憶部
１７ｂ    画像記憶部
１７ｃ    ユーザ登録情報記憶部
１８    ネットワークインタフェース
１９    音声処理部
２０    スピーカ
２１    マイク
２２    ボタン入力検出部
２３    可動体検知センサ
２４    ３色ＬＥＤ
３１    フロントキャビネット
３２    バックキャビネット
３３    レンズ
３４    レンズホルダ
３５    カバー
３６    アイキャビネット
３７    チルトモータ
３８    チルトウォームギア
３９    チルト回転軸
４０    チルトギア
４１    パンウォームギア
４２    パンギア
４３    ボタン
４４    可動体検知センサ
【図１】
2005175758.tif 000003
【図２】
2005175758.tif 000004
【図３】
2005175758.tif 000005
【図４】
2005175758.tif 000006
【図５】
2005175758.tif 000007
【図６】
2005175758.tif 000008
【図７】
2005175758.tif 000009